(57)【要約】【課題】使用者が容易にデザインを変更可能であり、ペットボトルのキャップ等を装着した際に、キャップ等に記載されたデザインを任意の向きに変更可能な蓋部材装着玩具を提案する。また、デザイン的に面白味のある蓋部材装着玩具を提供することを課題とする。【解決手段】内側に雌ねじ部が形成された蓋部材と螺合する雄ねじ部が外周面に形成されたホルダー部と、ホルダー部の一部に設けられた接続部材取付部と、足部とを有し、足部によって立った状態で保持される蓋部材装着玩具である。【選択図】図１
2010240212.tif 000002
【特許請求の範囲】
【請求項１】
内側に雌ねじ部が形成された蓋部材と螺合可能な雄ねじ部が外周面に形成されたホルダー部と、足部とを有し、
前記ホルダー部は、前記足部によって立った状態で保持される蓋部材装着玩具。
【請求項２】
下部材と、下部材に対して回転可能に設けられた螺合部材とからなり、螺合部材の外周面には、内側に雌ねじ部が形成された蓋部材と螺合可能な雄ねじ部が形成されている蓋部材装着玩具。
【請求項３】
前記下部材の上面に設けられた複数の切り込みと、
前記下部材の上部に設けられる係合部材と、を有し、
前記螺合部材は、前記下部材の切り込みが設けられた部分と前記係合部材とを覆うように設けられ、
前記係合部材は、前記切り込み部と嵌合する突起部を有する請求項２記載の蓋部材装着玩具。
【請求項４】
請求項３において、
前記切り込みは、くの字型であり、
前記くの字型部分に嵌合する前記係合部材の突起部は、先端が鋭角であり、前記鋭角を形成する二辺のうち一辺は、前記くの字型を形成する二辺のうち一辺とほぼ平行であり、前記鋭角を形成する二辺の他の一辺は、前記くの字型を形成する二辺の他の一辺とで２０°以上の角度を成す蓋部材装着玩具。
【請求項５】
請求項２乃至請求項４のいずれか一項において、
前記下部材と、前記係合部材と、前記螺合部材は、それぞれ中心付近に開口部を有し、
前記それぞれの開口部を貫通する係止部材を有し、
前記開口部は、少なくとも１つの窪みが形成されており、
前記係止部材は、前記開口部の窪みに対応する突起部を有する蓋部材装着玩具。
【請求項６】
請求項２乃至請求項５のいずれか一項において、
前記蓋部材装着玩具は、胴体部と腕部と足部とを有するボディ部を有し、
前記ボディ部は前記下部材と接合する蓋部材装着玩具。
【請求項７】
請求項２乃至請求項６のいずれか一項において、
前記係止部材は、背面に切込みを有する蓋部材装着玩具。
【請求項８】
請求項２乃至請求項７のいずれか一項において、
前記螺合部材は、一端が開口されており、他端が閉塞されている有底中空の筒状部材により構成されており、前記閉塞された面が前記係合部材と接する側に設けられている蓋部材装着玩具。
【発明の詳細な説明】
【技術分野】
【０００１】
本発明は、例えばキーホルダーや携帯ストラップなどに用いることができる蓋部材装着玩具に関するものである。
【背景技術】
【０００２】
従来、複数の鍵を携帯可能に保持するためのキーホルダーや携帯電話の落下防止・装飾のためのストラップなどが広く使用されている。しかしながら、従来のキーホルダーやストラップではデザインが固定されているため、使用者がデザインを変更したい場合には、本体自体を変更しなければならなかった。よって、使用者としては煩わしく、経済的にも負担となる上に、デザインを変更したいときには買い換える必要があり、資源の無駄となっていた。
【０００３】
そこで、使用者にデザインを容易に変更可能とするために、市販のペットボトル類の蓋を利用したアクセサリーホルダーが提案されている（例えば、特許文献１）。
【先行技術文献】
【特許文献】
【０００４】
【特許文献１】特許第２９４２７５４号公報
【発明の概要】
【発明が解決しようとする課題】
【０００５】
しかしながら、上記のペットボトル類の蓋材を利用したアクセサリーホルダーは、ペットボトルの蓋材に螺合される雄ねじ部がホルダー本体の外周面に形成されているのみであり、蓋材の位置に気をつけて装着する必要がある。即ち、蓋材の位置に気をつけて装着しないと、持ち手に対して蓋材のデザインの向きがずれてしまい（具体的には、持ち手を持って正面から見た場合に、本来上方にあるべき絵柄が下方に位置することになってしまう、文字が逆さになってしまう等）、カバンや携帯電話等に固定した際に見栄えがよくないものであった。また、単にペットボトルの蓋材のみのアクセサリーであるため、アクセサリーとして面白味が無いものであった。
【０００６】
そこで、本発明では、使用者がデザインを容易に変更可能であり、ペットボトルのキャップ等を装着した際に、キャップ等に記載されたデザインの向きを任意の向きに変更可能な蓋部材装着玩具を提案する。また、デザイン的に面白味のある蓋部材装着玩具を提供することを課題とする。
【課題を解決するための手段】
【０００７】
本発明の蓋部材装着玩具は、内側に雌ねじ部が形成された蓋部材と螺合可能な雄ねじ部が外周面に形成されたホルダー部と、足部と、を有し、ホルダー部は、足部によって立った状態で保持される。
【０００８】
また、本発明の蓋部材装着玩具は、下部材と、下部材に対して回転可能に設けられた螺合部材とからなり、螺合部材の外周面には、内側に雌ねじ部が形成された蓋部材と螺合可能な雄ねじ部が形成されている。
【０００９】
また、本発明の蓋部材装着玩具は、下部材の上面に設けられた複数の切り込みと、下部材の上部に設けられる係合部材と、を有し、螺合部材は下部材の切り込みが設けられた部分と係合部材とを覆うように下部材に設けられ、係合部材は、切込み部と嵌合する突起部を有することが好ましい。
【発明の効果】
【００１０】
本発明において、使用者が容易にキャップ等のデザインの向きを任意の向きに変更可能な蓋部材装着玩具を得ることが可能である。
【図面の簡単な説明】
【００１１】
【図１】本発明の蓋部材装着玩具の外観を説明するための図。
【図２】本発明の蓋部材装着玩具の構造を説明するための図。
【図３】本発明の蓋部材装着玩具の使用形態の一例を説明するための図。
【図４】本発明の蓋部材装着玩具の構造を説明するための図。
【図５】本発明の蓋部材装着玩具の構造を説明するための図。
【発明を実施するための形態】
【００１２】
（実施の形態１）
図１（Ａ）に本実施の形態の蓋部材装着玩具１００の外観斜視図を示す。図１（Ａ）に示す蓋部材装着玩具１００は、ホルダー部１０１と、ボディ１０２とを有する。
【００１３】
ここで、蓋部材装着玩具１００は、円柱状のホルダー部１０１を有しており、ホルダー部１０１の側面には雄ねじ部１０３が形成されている。ホルダー部１０１の雄ねじ部１０３に、例えばペットボトルのキャップ等の内側に雌ねじ部を有する蓋部材１０４を螺合させることによって、図１（Ｂ）に示すような蓋部材装着玩具１００を得ることができる。
【００１４】
また、ホルダー部１０１の端部には、接続部材取付部１０５が突出するように設けられている。接続部材取付部１０５には、貫通穴１０６が形成されており、貫通穴１０６にストラップ用の紐、ボールチェーン、ビーズストラップなどを取り付けることにより、カバンや携帯電話に吊り下げることができる。
【００１５】
また、ボディ部１０２は、人形体の胴体部分を模しており、腕部１０７、胴部１０８、足部１０９を有している。このように、ボディ部１０２を設けることにより、ホルダー部１０１は人形体の頭部のように見せることが可能である。本実施の形態では、足部１０９を介して立った状態で保持することが可能である。このように、ホルダー部１０１とともにボディ部１０２を設けることにより、コレクション性のあるフィギュアのように使用者に複数個集める意欲を持たせることができる。なお、ボディ部は人形体の胴体部の形状に限らず様々な形状が可能であり、また必ずしも設ける必要はない。
【００１６】
続いて、図２に、図１に示す蓋部材装着玩具１００のホルダー部１０１を分解したときの組み立て図を示す。本実施の形態において、ホルダー部１０１は、下部材２０１と、係合部材２０２と、螺合部材２０３と、係止部材２１０と、を有する。
【００１７】
ここで、下部材２０１と、係合部材２０２と、螺合部材２０３は、それぞれ中心付近に開口部２０４〜２０６を有する。また、係合部材２０２と螺合部材２０３に設けられた開口部２０５、２０６は、開口部の周縁に少なくとも１つの窪み２０７、２０８を有する。また、係止部材２１０は、開口部２０４、２０５、２０６に挿通可能な柱状に形成されており、その周面には窪み２０７、２０８に係合可能な突起部２０９を有する。また、係止部材２１０は、下部材２０１の開口部２０４に挿入したとき、下部材２０１に対して開口部２０４内にて回転可能な形状とされている。
【００１８】
さて、係止部材２１０を下部材２０１の開口部２０４に回転可能に挿入した後、係合部材２０２と螺合部材２０３のそれぞれの開口部２０５、２０６にも挿入する。このとき、係止部材２１０の突起部２０９を窪み２０７、２０８と係合させる。そして、螺合部材２０３の開口部２０６から表出した係止部材２１０の端部にねじ部材２１１を螺合させて、係止部材２１０が開口部２０４〜２０６から抜けないよう抜け止めをする。すると、係合部材２０２、螺合部材２０３と係止部材２１０は、窪み２０７，２０８と突起部２０９の係合により一体となって、下部材２０１に対して回転可能に係止されることになる。
【００１９】
よって、螺合部材２０３に蓋部材１０４を装着した際に、蓋部材１０４の位置が下部材２０１に対して回転可能である。蓋部材が下部材に対して回転可能であることにより、例えば、図３（Ａ）に示すように、蓋部材１０４に描かれた文字等の模様がボディ部１０２や接続部材取付部１０５に対して曲がっていたときに、蓋部材を回転するだけで容易に模様の位置を修正することができる（図３（Ｂ））。
【００２０】
ここで、下部材２０１と、係合部材２０２と、係止部材２１０とを嵌め合わせたときの上面図を図４に示す。
【００２１】
下部材２０１には、一端が閉塞し他端が開口する有底中空の筒状部分３００が設けられており、筒状部分の内側にくの字型の切込み３０１が複数設けられている。なお、本実施形態においては、切込み３０１は筒状部分の内側全体に形成されている。また、係合部材２０２は、中心に開口部２０５が設けられた円盤状の中央部と、中央部の周縁から半径方向に突出された短腕部と、短腕部の中央部に接続されていない方の端部に、短腕部と略垂直となるように設けられ、中央部の円周方向に延びる長腕部と、長腕部の短腕部に接続されていない方の端部に形成され、下部材２０１に係合部材２０２が取り付けられたときに、切込み３０１のくの字型の切込み部分に嵌合可能な突起部３０２とを有する。ここで、くの字型部分に嵌合する係合部材２０２の突起部３０２は、先端が鋭角であり、鋭角を形成する二辺のうち一辺３０３は、くの字型を形成する二辺のうち一辺３０４とほぼ平行である。また、鋭角を形成する二辺の他の一辺３０５は、くの字型を形成する二辺の他の一辺３０６とで２０°以上の角度を成している。
【００２２】
本実施の形態では、蓋部材１０４の回転に伴って、係合部材２０２と螺合部材２０３が回転する際に、短腕部、長腕部が弾性変形して、突起部３０２が切込み３０１に嵌合、離脱を交互に行いつつ回転するため、クリック感を得ながら蓋部材を回転させることができる。そのため、蓋部材を回転することにより使用者が爽快感を得るとともに、蓋部材の回転角を保持できるようになっている。また、図４に示したように微調整しながら回転することができる。
【００２３】
また、本実施の形態では、突起部３０２の形状が左右非対称であり、突起部３０２の先端の鋭角を形成する二辺のうち一辺３０３は、くの字型を形成する二辺のうち一辺３０４とほぼ平行である側（本実施の形態では、時計回り）の方向への回転は可能であるが、鋭角を形成する二辺の他の一辺３０５は、くの字型を形成する二辺の他の一辺３０６とで２０°以上の角度を成している側（本実施の形態では、反時計回り）には回転しないようになっている。
【００２４】
また、図５に示すように、係止部材２１０は、背面に切込み５０１が設けられている。蓋部材１０４を螺合部材２０３に装着した際に、蓋部材１０４と螺合部材２０３との螺合が緩いと感じた場合、切込み５０１に、例えば１０円硬貨等を挟んで、係止部材２１０の可動を止めることにより、係合部材２０２と螺合部材２０３の回転も止まり、蓋部材１０４のみを回転することが可能となり、蓋部材１０４と螺合部材２０３との螺合をより強固なものとすることができる。
【００２５】
なお、螺合部材２０３は、一端が開口されており、他端が閉塞されている有底中空の筒状部材により構成されていてもよい。それにより、開口部から筒状内部に小物等を収納し、蓋部材１０４を下部材２０１に装着することにより、小物入れとして利用することが可能である。
【００２６】
また、本実施の形態では、予めキャップ等の表面にデザインが施された蓋部材を用いているが、これに限られることなく、使用者が蓋部材の表面にシール部材を貼付したり、蓋部材の表面にマジックやラインストーン等で絵柄を描くことにより、オリジナルの蓋部材を作成してもよい。なお、その場合も、蓋部材を回転することにより、蓋部材の位置のズレを容易に修正することが可能である。
【００２７】
本発明の実施の形態では、ペットボトルのキャップ等の蓋部材をホルダー部に装着することにより、ペットボトルのデザインを蓋部材装着玩具として活かすことが可能であり、且つ、ホルダー部が回転可能であるため、キャップ等に描かれたデザインを持ち手に対して任意の向きに変更することが可能である。これにより、蓋部材装着玩具をカバンや携帯電話等に装着した際に見栄えが良いものとなる。また、ホルダー部を人形の頭部として用いた場合、キャップ等に描かれたデザインの向きを、デザイン上正しい向きとなるように配置したいという使用者の欲求の高まりを容易に満たすことができる。
【００２８】
また、ペットボトルのキャップ等の従来であれば廃棄される材料をリサイクルして用いることができるため、環境に優しい蓋部材装着玩具を得ることができる。
【符号の説明】
【００２９】
１００  蓋部材装着玩具
１０１  ホルダー部
１０２  ボディ部
１０３  雄ねじ部
１０４  蓋部材
【図１】
2010240212.tif 000003
【図２】
2010240212.tif 000004
【図３】
2010240212.tif 000005
【図４】
2010240212.tif 000006
【図５】
2010240212.tif 000007
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
下部材と、下部材に対して回転可能に設けられた螺合部材とからなり、螺合部材の外周面には、内側に雌ねじ部が形成された蓋部材と螺合可能な雄ねじ部が形成されている蓋部材装着玩具。
【請求項２】
前記下部材の上面に設けられた複数の切り込みと、
前記下部材の上部に設けられる係合部材と、を有し、
前記螺合部材は、前記下部材の切り込みが設けられた部分と前記係合部材とを覆うように設けられ、
前記係合部材は、前記切り込み部と嵌合する突起部を有する請求項１記載の蓋部材装着玩具。
【請求項３】
請求項２において、
前記切り込みは、くの字型であり、
前記くの字型部分に嵌合する前記係合部材の突起部は、先端が鋭角であり、前記鋭角を形成する二辺のうち一辺は、前記くの字型を形成する二辺のうち一辺とほぼ平行であり、前記鋭角を形成する二辺の他の一辺は、前記くの字型を形成する二辺の他の一辺とで２０°以上の角度を成す蓋部材装着玩具。
【請求項４】
請求項１乃至請求項３のいずれか一項において、
前記下部材と、前記係合部材と、前記螺合部材は、それぞれ中心付近に開口部を有し、
前記それぞれの開口部を貫通する係止部材を有し、
前記開口部は、少なくとも１つの窪みが形成されており、
前記係止部材は、前記開口部の窪みに対応する突起部を有する蓋部材装着玩具。
【請求項５】
請求項１乃至請求項４のいずれか一項において、
前記蓋部材装着玩具は、胴体部と腕部と足部とを有するボディ部を有し、
前記ボディ部は前記下部材と接合する蓋部材装着玩具。
【請求項６】
請求項１乃至請求項５のいずれか一項において、
前記係止部材は、背面に切込みを有する蓋部材装着玩具。
【請求項７】
請求項１乃至請求項６のいずれか一項において、
前記螺合部材は、一端が開口されており、他端が閉塞されている有底中空の筒状部材により構成されており、前記閉塞された面が前記係合部材と接する側に設けられている蓋部材装着玩具。
【請求項８】
内側に雌ねじ部が形成された蓋部材と螺合可能な雄ねじ部が外周面に形成されたホルダー部と、足部とを有し、
前記ホルダー部は、前記足部によって立った状態で保持される蓋部材装着玩具。